【手続補正書】
【提出日】平成20年11月25日(2008.11.25)
【手続補正１】
【補正対象書類名】明細書
【補正対象項目名】００１１
【補正方法】変更
【補正の内容】
【００１１】
アンテナ１１でディジタルテレビジョン放送波を受信して得られた受信信号ＲＦaは、ディジタルフロントエンド１２のディジタルチューナ部１２１に供給される。ディジタルチューナ部１２１は、受信信号ＲＦaからユーザによって指定された番組の送信に用いられている周波数帯の信号を選局して中間周波信号を生成する。さらに、中間周波信号に対してディジタル復調や誤り訂正、デインタリーブ処理やデスクランブル処理等を行いトランスポートストリームを生成する。さらに、生成したトランスポートストリームから指定されたチャネルのパケットデータＰＤを分離して、デコーダ１２２に供給する。
【手続補正２】
【補正対象書類名】明細書
【補正対象項目名】００１２
【補正方法】変更
【補正の内容】
【００１２】
デコーダ１２２は、パケットデータＰＤの復号を行い、復号後の映像信号ＤＶaを階調変換部２０に供給する。また、復号後の音声データは、音声出力処理部（図示せず）に供給されて、音声出力信号に変換されてスピーカ等（図示せず）に供給される。
【手続補正３】
【補正対象書類名】明細書
【補正対象項目名】００２９
【補正方法】変更
【補正の内容】
【００２９】
ＮＯＲゲート２３４pは、ＯＲゲート２２６p，２２７p，２２８p，２２９pの出力信号の論理和を反転した信号ＧＰ4（以下「連続数検出信号ＧＰ4」という）を生成して、ビット割当処理部２５に供給する。このため、連続数検出信号ＧＰ4は、シフトレジスタ２１の初段目にホールドされている画素信号ＰＤ1が２段目にホールドされている画素信号ＰＤ2よりも１ビット分増加しており、２段目から５段目にホールドされている画素信号ＰＤ2，ＰＤ3，ＰＤ4，ＰＤ5が等しいときにハイレベル「Ｈ」となり、他の場合にはローレベル「Ｌ」となる。すなわち、映像信号ＤＶaが図３Ｃに示すパターンとなったとき、連続数検出信号ＧＰ4がハイレベル「Ｈ」となる。
【手続補正４】
【補正対象書類名】明細書
【補正対象項目名】００４１
【補正方法】変更
【補正の内容】
【００４１】
ここで、映像信号ＤＶaの最下位ビット側に２ビットの割当てを行う場合、ビット割当て前の映像信号ＤＶaにおける信号パターンが図３Ａに示すものであるときは、最初の画素信号ＰＤ3の変化量が「０」であることから最下位ビット側にビット"00"、２番目の画素信号ＰＤ2の変化量が「２」であることから最下位ビット側にビット"10"を割り当てる。また、映像信号ＤＶaが図３Ｂに示す信号パターンとなったとき、最初の画素信号ＰＤ4の変化量は「０」であることから最下位ビット側にビット"00"、２番目の画素信号ＰＤ3の変化量が「１」であることから最下位ビット側にビット"01"、３番目の画素信号ＰＤ2の変化量が「３」であることから最下位ビット側にビット"11"を割り当てる。さらに、映像信号ＤＶaが図３Ｃに示す信号パターンとなったとき、最初の画素信号ＰＤ5の変化量が「０」であることから最下位ビット側にビット"00"、２番目の画素信号ＰＤ4の変化量が「１」であることから最下位ビット側にビット"01"、３番目の画素信号ＰＤ3の変化量が「２」であることから最下位ビット側にビット"10"、４番目の画素信号ＰＤ2の変化量が「３」であることから最下位ビット側にビット"11"を割り当てる。
【手続補正５】
【補正対象書類名】明細書
【補正対象項目名】００４２
【補正方法】変更
【補正の内容】
【００４２】
また、信号パターンが図３Ｄ，Ｅ，Ｆに示すものであるときは、画素信号の最下位ビット側にビット"00"を割り当てた画素信号から、変化量ＬＳを減算することで、階調変換後の映像信号ＤＶbを生成できる。また、レベルが低下する場合には、画素信号ＰＤ1のレベルを基準として変化量を設定して、画素信号ＰＤ1に対して、変化量に応じたビット割当てを行うものとすれば、減算処理を行わなくとも、階調変換後の映像信号ＤＶbを生成できる。例えば映像信号ＤＶaが図３Ｆに示す信号パターンとなったとき、レベルの等しい連続する画素信号ＰＤ2，ＰＤ3，ＰＤ4，ＰＤ5において、最初の画素信号ＰＤ5の最下位ビット側にビット"00"を割り当てる。また、２番目の画素信号ＰＤ4は画素信号ＰＤ1の最下位ビット側にビット"11"を割り当てた画素信号とする。３番目の画素信号ＰＤ3は画素信号ＰＤ1の最下位ビット側にビット"10"を割り当てた画素信号、４番目の画素信号ＰＤ2は画素信号ＰＤ1の最下位ビット側にビット"01"を割り当てた画像データとする。このようにすれば、レベルが増加する場合だけでなくレベルが減少する場合でも、映像信号ＤＶaの最下位側に２ビットのデータを付加するだけで、階調変換後の映像信号ＤＶbを生成できる。
【手続補正６】
【補正対象書類名】明細書
【補正対象項目名】００５５
【補正方法】変更
【補正の内容】
【００５５】
６番目と７番目の画素信号Ｈａ6，Ｈａ7が順にシフトレジスタ２１に入力されて保持された場合、５段目のレジスタには、画素信号Ｈａ2，Ｈａ3が順に保持される。また、画素信号Ｈａ2，Ｈａ3に対しては変化量ＬＳが「０」とされているので、画素信号ＰＤ5(＝Ｈａ2，Ｈａ3)にビット"00"を割り当てて、映像信号ＤＶbにおける水平方向の２番目と３番目の画素信号Ｈｂ2，Ｈｂ3とする。ここで、画素信号ＰＤ5にビット"00"を割り当てると、画素信号Ｈｂ2は「３６（＝"0000100100")」、画素信号Ｈｂ3は「３２（＝"0000100000")」となる。
【手続補正７】
【補正対象書類名】明細書
【補正対象項目名】００６４
【補正方法】変更
【補正の内容】
【００６４】
図８において、水平方向の最初から１０番目の画素信号Ｈａ1〜Ｈａ10(＝６)がシフトレジスタ２１に入力されたのち、１１番目の画素信号Ｈａ11(＝７)がシフトレジスタ２１に入力されて保持されると、初段のレジスタに保持されている画素信号ＰＤ1(＝Ｈａ11)と２段目のレジスタに保持されている画素信号ＰＤ2(＝Ｈａ10)のレベル差が「１」であることから、変化量設定信号ＪＳpはローレベル「Ｌ」からハイレベル「Ｈ」に変化する。このとき、２段目から１１段目までのレジスタには、レベルが等しい画素信号Ｈａ1〜Ｈａ10(＝６)が保持されている。このため、２段目のレジスタに保持されている画素信号ＰＤ2と信号レベルの等しい画素数である画素連続数ＮＢは「１０」となる。変化量設定部２５１は、レベルが等しく連続する１０個の画素に対して変化量が平均化するように、上述の式（１）に基づいて変化量ＬＳを設定する。したがって、１１段目〜９段目のレジスタに保持されている画素信号ＰＤ11(＝Ｈａ1)，ＰＤ10(＝Ｈａ2)，ＰＤ9(＝Ｈａ3)に対しては、変化量ＬＳを「０」に設定する。また、８段目〜７段目のレジスタに保持されている画素信号ＰＤ8(＝Ｈａ4)，ＰＤ7(＝Ｈａ5)に対しては、変化量ＬＳを「１」に設定する。６段目〜４段目のレジスタに保持されている画素信号ＰＤ6(＝Ｈａ6)，ＰＤ5(＝Ｈａ7)，ＰＤ3(＝Ｈａ8)に対しては、変化量ＬＳを「２」に設定する。３段目〜２段目のレジスタに保持されている画素信号ＰＤ3(＝Ｈａ9)，ＰＤ2(＝Ｈａ10)に対しては、変化量ＬＳを「３」に設定する。このように変化量ＬＳを設定して、ビット処理部２５２は、映像信号ＤＶaの最下位ビット側に２ビットを追加して１０ビットの映像信号ＤＶbを生成する。また、映像信号ＤＶbを生成する際には、画素間のレベル差が変化量設定部２５１で設定された変化量ＬＳとなるように生成する。このため、映像信号ＤＶbの信号レベルは、「２４，２４，２４，２５，２５，２６，２６，２６，２７，２７」の順に変化する。